(57)【要約】      （修正有）【課題】従来の散気管あるいは牡蠣殻を川底に敷く方法にかわる浄化能力の高い方法を提供する。【解決手段】川や沼の水の浄化に、フロート型のソーラーパネル型発電機１を電源とし、牡蠣殻５と密封した空のペットボトル６を、網目状のネット７でフロート枠１１に固定し、浄化槽用ローター８と、重り付き散気管１０で水に酸素と対流を供給して、牡蠣殻５に付着した浄化用微生物を良好に利用し、重り付き散気管１０へ網目入りの強化され柔軟なホース９で、空気を供給し、水位の上下に対応し、水流に対して、碇の役目をするようにした。【選択図】図１
2017053200.tif 000002
【特許請求の範囲】
【請求項１】
ソーラーパネル型発電機（１０）を利用し、重り付き散気管（１０）を、川や沼の底（１３）に沈め、防水性ブロワー（３）又はコンプレッサー（４）で送風し、空気の気泡の上昇で水の対流を起こし、水中に酸素を補給して水面（１２）近くに浮上させたフロート枠（１１）に、空のペットボトルの栓をしたもの（６）と、牡蛎殻（５）を、網目状のネット（７）で固定し、浄化槽用ローター（８）を、フロート枠（１１）のほぼ中心で、防水性のモーター（２）により回転させ、牡蛎殻（５）に付着し易い汚水処理用微生物に、必要な酸素を、供給して、汚水の生物的浄化を効率的に行う。
【請求項２】
池や川の渇水期用に、水の流れに抵抗の少ない潜り関（１５）を設けておき、牡蠣殻（５）に付着している微生物の生存を計ると共に、滞留した水に流れと、酸素供給をして、水の浄化を計り、魚の生存も助け、蚊の発生元のボウフラを減少させ、蚊の発生も大きく抑制する。又、多量の水が増加する時には、障害とならぬよう弱い力のバネ（１７）を用いている潜り関（１５）が、簡単に開くようにしておく。
【請求項３】
潜り関（１５）に水量調整関（１６）を、上下させ水位の変化を少なくして、汚水浄化用微生物への負荷を少なくし、魚の通路も、確保出来るようにする。
【請求項４】
浄化槽用ローター（８）には、直径１５ｍｍ程の穴を、１５個程ほぼ表面均等に設けて、ローターの表裏間に、水と空気の混入を増加させ、水への酸素溶解濃度を、数割程高め、ローターの強度も使用上維持出来る。
【発明の詳細な説明】
【発明の詳細な説明】
【技術分野】
【０００１】  本発明は、川や沼で、フロート型の簡易な方法で、水の浄化を効率的に行う方法に関する。
【背景技術】
【０００２】  従来の技術分野は、フロート型でも、濾過式の飲料水供給の為のものや、生物的浄化法では、浄化能力が低いものや、牡蛎殻をネットにつめて、川の浅瀬に置いて浄化を、計ろうとするものだった。
【発明が解決しようとする課題】
【０００３】  従来のフロート型で、太陽光発電パネルを電源とする散気管への送気のみでは、強個な関を設けて使用しても、浄化を効率的に行う力は低い。又、牡蠣殻等を並べ置く方法は、渇水期には、付着した浄化用微生物も死滅して、浄水能力は非常に小さくなる。なお、固定式の散気管等の方法は、水位の上下に対応出来ない。
【０００４】  本発明は、空のペットボトル等、簡易に入手出来る物で、フロートを構成し、そのフロート枠（１１）にネットで、牡蠣殻（５）を、水面（１２）近く位地し、そのフロート枠（１１）の、ほぼ中心に、浄化槽用ローター（８）を配置し、空のペットボトルの栓をしたもの（６）と牡蠣殻（５）に付着した微生物に、必要な酸素を供給して、汚水の浄化を図る。電源はソーラーパネル型発電機（１）からとする。なお、網目入りの強化され柔軟なホース（４）を用いて、重り付き散気管（１０）に接続して、ブロアー（３）等で空気を供給して、気泡の上昇で溜り水に対流を起こして、水中の酸素溶解濃度を高めると共に、フロート型全体の碇の役目をもたせる。
【０００５】  川等の水流が多い時は、水の浄化の必要性も少なく、フロート型装置の流失を抑える為に、岸からの固定も必要である。
【０００６】  渇水期には、川や沼は、水量も少なく、溜り水の汚水濃度も上がるが、浄水用微生物の生存にも、不向きとなる。その為、適当な箇所に、水圧を受けにくく、魚も通れて、微量な水位の調整が可能で、水量が多い時には、簡単に開閉する潜り関（１５）を設けて、川等の途中でも、水の浄化を図る。
【発明を実施するための形態】
【０００７】実施例にもとずき図面を参照として説明する。
図１において、ソーラーパネル型発電機（１）をフロート型浄化装置の、電源として使用する。空のペットボトルの栓を密封したもの（６）を複数個に、適度な数の牡蛎殻（５）を網目状のネット（７）で、フロート枠（１１）の水面（１２）近くに固定して、ほぼその中心に、防水性のモーター（２）を配置し、それに浄化槽用ローター（８）を接続して、回転させ、牡蠣殻（５）に付着している浄化用微生物に、十分な酸素供給をして水の浄化能力を高める。なお、フロート枠（１１）上に、防水性のブロワー（３）又はコンプレッサー（４）を配備し、重り付き散気管（１０）を、川や沼の底（１３）にほぼ固定し、それに網目入りで強化され柔軟なホース（９）をつないで、空気を送り、川や沼の底（１３）から気泡の上昇で水の対流を越し、酸素供給も行い、水の浄化能力を得ると共に、水面（１２）の上下に対応して、碇の役目をさせる。
【０００８】図２で、潜り関（１４）を川や沼の一部に設けて、渇水期に多少の貯水を目的とし、牡蠣殻（５）に付着した浄化用微生物の生存を計ると共に、この時とくに汚水濃度が上昇するのを防ぐ。潜り関の上部には、位置を多少ずらして、水位の微調整が出来るように両端に放物線の逆型をした底辺が広い型をもつ調整関（１６）を設けて、魚の通路になるようにする。大きな水流の時には、力の弱いバネ（１７）を使用して、簡単に関は開くようにし、水流の障害とならぬようにする。
【０００９】図３で、浄化槽用ローター（８）に、直径１５ｍｍ程の穴をほぼ均等に１５固程設けて、ローターの表裏の間に水と空気の流れの混入を増加させ、酸素供給能力を数割程高め、ローターの強度も使用上維持出来る。
【図面の簡単な説明】
【図１】フロート型浄化装置
【図２】潜り関
【図３】浄化槽用ローター
【図１】
2017053200.tif 000003
【図２】
2017053200.tif 000004
【図３】
2017053200.tif 000005
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
フロート枠（１１）と、フロート枠（１１）上に配置される、防水性のブロワー（３）又はコンプレッサー（４）と、防水性のモーター（２）と、電源となるソーラーパネル型発電機（１）と、上記防水性のブロワー（３）又はコンプレッサー（４）と柔軟なホース（９）で連通される、川や池の底（１３）に沈められた重り付き散気管（１０）と、上記フロート枠（１１）の下方に網目状のネット（７）で固定される、空のペットボトルの蓋をしたもの（６）と牡蠣殻（５）と、フロート枠（１１）のほぼ中央の下方に、上記の防水性のモーター（２）により回転される浄化用ローター（８）とを備える、汚水の生物的浄化を行うフロート型浄化装置であって、上記空のペットボトルの蓋をしたもの（６）による浮力によって上記フロート枠（１１）を水面（１２）付近に浮上させ、
上記防水性のブロワ―（３）又はコンプレッサー（４）からの送風により、川や池の底（１３）の重り付き散気管（１０）から気泡の上昇による対流を生じさせ、かつ、水中に酸素を補給し、上記浄化用ローター（８）の回転により、牡蠣殻（５）に付着し易い汚水処理用微生物に必要な酸素を供給することを特徴とする汚水の生物的浄化を行うフロート型浄化装置。